(57)【特許請求の範囲】
【請求項１】
本体を含み、前記本体の内部には粉砕室が設けられ、前記粉砕室の中には粉砕筒が回転可能に設けられ、前記粉砕筒の内周は円台形であり、前記粉砕室の底部には二つの縦軸が左右対称的に且つ回転可能に設けられ、二つの前記縦軸の外周にはそれぞれ粉砕盤が固定的に設けられ、二つの前記粉砕盤は互いに噛み合っていることで、顔料をさらに粉砕でき、前記本体の上面にはトップカバーが設けられ、前記トップカバーの内部にはスライド空間が設けられ、前記スライド空間の中には矩形ブロックがスライド可能に設けられ、前記矩形ブロックの中には主軸が回転可能に設けられ、前記主軸の底端には粉砕ヘッドが固定的に設けられ、前記粉砕ヘッドが回転し且つ前記粉砕筒と合わせて鉱物顔料の初粉砕を行い、前記スライド空間の左右両側にはそれぞれスライダがスライド可能に設けられ、前記スライダと前記矩形ブロックとは第一連結棒によってヒンジで連結され、前記スライド空間の左右両側にはいずれもクランク空間が設けられ、前記クランク空間の中にはクランク軸が回転可能に設けられ、前記クランク軸と前記スライダとは第二連結棒によって噛み合っており、二つの前記クランク軸の頂部の間には第一ベルトによって連結され、前記クランク軸の回転は、前記矩形ブロックを上下にスライドさせることができ、前記本体の底面の内部には動力モータが固定的に埋め込まれ、前記動力モータは、前記クランク軸の回転、前記縦軸の回転、前記粉砕筒の回転、および前記粉砕ヘッドの回転に同時に動力を供給することができることを特徴とする中国画用の天然無機鉱物顔料を製造する装置。
【請求項２】
前記トップカバーは、四つのボルトによって前記本体とともに装着され、前記本体の左面には供給ホッパーが固定的に設けられ、前記供給ホッパーには栓がねじ山により締め付けられていることを特徴とする請求項１に記載の中国画用の天然無機鉱物顔料を製造する装置。
【請求項３】
前記粉砕室の底部には、弧形板が固定的に設けられ、前記弧形板には複数の微細孔が設けられ、前記微細孔は初粉砕の後、鉱物顔料を通過させることができ、前記本体の底面には受け皿がスライド可能に設けられ、前記受け皿は、粉砕が完了した後の顔料を受け取ることができることを特徴とする請求項２に記載の中国画用の天然無機鉱物顔料を製造する装置。
【請求項４】
前記動力モータの上部には、上方に延びる動力軸が伝動可能に連結され、前記動力軸と前記縦軸との間には、第二ベルトによって連結され、前記動力軸の外周には伝動歯車が固定的に設けられ、前記粉砕筒の外周には外部リング歯車が固定的に設けられ、前記外部リング歯車は前記伝動歯車と噛み合うことを特徴とする請求項３に記載の中国画用の天然無機鉱物顔料を製造する装置。
【請求項５】
前記粉砕空間の右側には切換空間が設けられ、前記切換空間の中には切換スライダがスライド可能に設けられ、前記切換スライダの中には第一スプラインスリーブが回転可能に設けられ、前記第一スプラインスリーブは前記動力軸とスプラインにより連結され、前記切換スライダの右側には磁気ブロックが固定的に設けられ、前記磁気ブロックの上下両側には、それぞれ前記本体に固定的に埋め込まれている電磁石が設けられ、前記電磁石は前記切換スライダを上下にスライドさせるように制御することができ、前記第一スプラインスリーブの上部に動力はすば歯車が固定的に設けられ、前記粉砕空間の上部には伝動空間が設けられ、前記伝動空間の中には底部回転ブロックが回転可能に設けられ、前記伝動空間の中には第二スプラインスリーブが回転可能に設けられ、前記第二スプラインスリーブと前記主軸とは回転可能にスプラインにより連結され、前記第二スプラインスリーブと前記底部回転ブロックとは第三ベルトによって連結され、右側にある前記クランク軸の底部には頂部回転ブロックが固定的に設けられ、前記動力はすば歯車は、前記頂部回転ブロック或いは前記底部回転ブロックの中に挿入されることができることを特徴とする請求項４に記載の中国画用の天然無機鉱物顔料を製造する装置。
【発明の詳細な説明】
【技術分野】
【０００１】
本願発明は顔料製造の技術分野に関し、具体的には中国画用の天然無機鉱物顔料を製造する装置に関する。
【背景技術】
【０００２】
高級の中国画の顔料は、通常、天然鉱石を粉砕してから水を攪拌することによって作られ、伝統的な鉱物顔料の粉砕は、普通、手作業でつぶしてから粉砕し、粉砕の過程はかなり長く、長期間の粉砕過程は従業員に疲労感を与え、時間が長く、時間と労力がかかる。
【先行技術文献】
【特許文献】
【０００３】
【特許文献１】中国特許出願公開第１０５８３６８０９号明細書
【発明の概要】
【発明が解決しようとする課題】
【０００４】
本願発明は、中国画用の天然無機鉱物顔料を製造する装置を提供することにより、上記の技術問題を解決することを目的とする。
【課題を解決するための手段】
【０００５】
上記の課題を解決するため、本願発明は以下の技術プランを採用する：本体を含み、前記本体の内部には粉砕室が設けられ、前記粉砕室の中には粉砕筒が回転可能に設けられ、前記粉砕筒の内周は円台形であり、前記粉砕室の底部には二つの縦軸が左右対称的に且つ回転可能に設けられ、二つの前記縦軸の外周にはそれぞれ粉砕盤が固定的に設けられ、二つの前記粉砕盤は互いに噛み合っていることで、顔料をさらに粉砕でき、前記本体の上面にはトップカバーが設けられ、前記トップカバーの内部にはスライド空間が設けられ、前記スライド空間の中には矩形ブロックがスライド可能に設けられ、前記矩形ブロックの中には主軸が回転可能に設けられ、前記主軸の底端には粉砕ヘッドが固定的に設けられ、前記粉砕ヘッドが回転し且つ前記粉砕筒と合わせて鉱物顔料の初粉砕を行い、前記スライド空間の左右両側にはそれぞれスライダがスライド可能に設けられ、前記スライダと前記矩形ブロックとは第一連結棒によってヒンジで連結され、前記スライド空間の左右両側にはいずれもクランク空間が設けられ、前記クランク空間の中にはクランク軸が回転可能に設けられ、前記クランク軸と前記スライダとは第二連結棒によって噛み合っており、二つの前記クランク軸の頂部の間には第一ベルトによって連結され、前記クランク軸の回転は、前記矩形ブロックを上下にスライドさせることができ、前記本体の底面の内部には動力モータが固定的に埋め込まれ、前記動力モータは、前記クランク軸の回転、前記縦軸の回転、前記粉砕筒の回転、および前記粉砕ヘッドの回転に同時に動力を供給することができる。
【０００６】
更の技術プラン、前記トップカバーは、四つのボルトによって前記本体とともに装着され、前記本体の左面には供給ホッパーが固定的に設けられ、前記供給ホッパーには栓がねじ山により締め付けられている。
【０００７】
優選の技術プランとして、前記粉砕室の底部には、弧形板が固定的に設けられ、前記弧形板には複数の微細孔が設けられ、前記微細孔は初粉砕の後、鉱物顔料を通過させることができ、前記本体の底面には受け皿がスライド可能に設けられ、前記受け皿は、粉砕が完了した後の顔料を受け取ることができる。
【０００８】
優選の技術プランとして、前記動力モータの上部には、上方に延びる動力軸が伝動可能に連結され、前記動力軸と前記縦軸との間には、第二ベルトによって連結され、前記動力軸の外周には伝動歯車が固定的に設けられ、前記粉砕筒の外周には外部リング歯車が固定的に設けられ、前記外部リング歯車は前記伝動歯車と噛み合っている。
【０００９】
優選の技術プランとして、前記粉砕空間の右側には切換空間が設けられ、前記切換空間の中には切換スライダがスライド可能に設けられ、前記切換スライダの中には第一スプラインスリーブが回転可能に設けられ、前記第一スプラインスリーブは前記動力軸とスプラインにより連結され、前記切換スライダの右側には磁気ブロックが固定的に設けられ、前記磁気ブロックの上下両側には、それぞれ前記本体に固定的に埋め込まれている電磁石が設けられ、前記電磁石は前記切換スライダを上下にスライドさせるように制御することができ、前記第一スプラインスリーブの上部に動力はすば歯車が固定的に設けられ、前記粉砕空間の上部には伝動空間が設けられ、前記伝動空間の中には底部回転ブロックが回転可能に設けられ、前記伝動空間の中には第二スプラインスリーブが回転可能に設けられ、前記第二スプラインスリーブと前記主軸とは回転可能にスプラインにより連結され、前記第二スプラインスリーブと前記底部回転ブロックとは第三ベルトによって連結され、右側にある前記クランク軸の底部には頂部回転ブロックが固定的に設けられ、前記動力はすば歯車は、前記頂部回転ブロック或いは前記底部回転ブロックの中に挿入されることができる。
【発明の効果】
【００１０】
本願発明は、矩形ブロックが上下にスライドすることにより、粉砕ヘッドを駆動して上下にスライドさせ、鉱物顔料を破壊し、その後粉砕ヘッドと粉砕筒とを回転させて鉱物顔料を初粉砕し、粉砕された顔料は二つの粉砕盤の間に入り、粉砕盤の回転によって二次粉砕を行い、顔料がより繊細になり、本願発明の構造がシンプルで、操作が便利で、伝動が安定で、すべての伝動は一つの動力源のみで実現され、モーターを節約し、コストを抑え、普及の促進にも便利である。
【図面の簡単な説明】
【００１１】
下記に図１〜３をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の中国画用の天然無機鉱物顔料を製造する装置の内部の全体構成模式図
【図２】図２は図１におけるＡ部の拡大模式図
【図３】図３は図１におけるＢ部の拡大模式図
【発明を実施するための形態】
【００１３】
ここでは図１〜３を参照し、本願発明について詳しく説明する。叙述の便利のため、以下に述べる方位についてこのように規定する：以下に述べる上下・左右・前後の方向は、図１自体の投影関係の上下・左右・前後の方向と一致する。
【００１４】
図１〜３を参照し、本願発明の中国画用の天然無機鉱物顔料を製造する装置は、本体１０を含み、前記本体１０の内部には粉砕室２１が設けられ、前記粉砕室２１の中には粉砕筒２２が回転可能に設けられ、前記粉砕筒２２の内周は円台形であり、前記粉砕室２１の底部には二つの縦軸３９が左右対称的に且つ回転可能に設けられ、二つの前記縦軸３９の外周にはそれぞれ粉砕盤３８が固定的に設けられ、二つの前記粉砕盤３８は互いに噛み合っていることで、顔料をさらに粉砕でき、前記本体１０の上面にはトップカバー６０が設けられ、前記トップカバー６０の内部にはスライド空間１８が設けられ、前記スライド空間１８の中には矩形ブロック６１がスライド可能に設けられ、前記矩形ブロック６１の中には主軸２０が回転可能に設けられ、前記主軸２０の底端には粉砕ヘッド２３が固定的に設けられ、前記粉砕ヘッド２３が回転し且つ前記粉砕筒２２と合わせて鉱物顔料の初粉砕を行い、前記スライド空間１８の左右両側にはそれぞれスライダ１７がスライド可能に設けられ、前記スライダ１７と前記矩形ブロック６１とは第一連結棒１９によってヒンジで連結され、前記スライド空間１８の左右両側にはいずれもクランク空間２５が設けられ、前記クランク空間２５の中にはクランク軸１５が回転可能に設けられ、前記クランク軸１５と前記スライダ１７とは第二連結棒１６によって噛み合っており、二つの前記クランク軸１５の頂部の間には第一ベルト１４によって連結され、前記クランク軸１５の回転は、前記矩形ブロック６１を上下にスライドさせることができ、前記本体１０の底面の内部には動力モータ４１が固定的に埋め込まれ、前記動力モータ４１は、前記クランク軸１５の回転、前記縦軸３９の回転、前記粉砕筒２２の回転、および前記粉砕ヘッド２３の回転に同時に動力を供給することができ、動力源を節約できる。
【００１５】
好ましくは、前記トップカバー６０は、四つのボルト１３によって前記本体１０とともに装着され、前記本体１０の左面には供給ホッパー１１が固定的に設けられ、前記供給ホッパー１１には栓１２がねじ山により締め付けられている。
【００１６】
好ましくは、前記粉砕室２１の底部には、弧形板３６が固定的に設けられ、前記弧形板３６には複数の微細孔３７が設けられ、前記微細孔３７は初粉砕の後、鉱物顔料を通過させることができ、前記本体１０の底面には受け皿４２がスライド可能に設けられ、前記受け皿４２は、粉砕が完了した後の顔料を受け取ることができる。
【００１７】
好ましくは、前記動力モータ４１の上部には、上方に延びる動力軸３０が伝動可能に連結され、前記動力軸３０と前記縦軸３９との間には、第二ベルト４０によって連結され、前記動力軸３０の外周には伝動歯車３４が固定的に設けられ、前記粉砕筒２２の外周には外部リング歯車３５が固定的に設けられ、前記外部リング歯車３５は前記伝動歯車３４と噛み合い、前記動力軸３０の回転により、前記伝動歯車３４は前記外部リング歯車３５を回転させ、さらに前記粉砕筒２２を回転させ、前記粉砕ヘッド２３と協力して鉱物顔料を粉砕する。
【００１８】
好ましくは、前記粉砕空間２１の右側には切換空間３１が設けられ、前記切換空間３１の中には切換スライダ７０がスライド可能に設けられ、前記切換スライダ７０の中には第一スプラインスリーブ２９が回転可能に設けられ、前記第一スプラインスリーブ２９は前記動力軸３０とスプラインにより連結され、前記切換スライダ７０の右側には磁気ブロック３２が固定的に設けられ、前記磁気ブロック３２の上下両側には、それぞれ前記本体１０に固定的に埋め込まれている電磁石３３が設けられ、前記電磁石３３は前記切換スライダ７０を上下にスライドさせるように制御することができ、前記第一スプラインスリーブ２９の上部に動力はすば歯車２８が固定的に設けられ、前記粉砕空間２１の上部には伝動空間７１が設けられ、前記伝動空間７１の中には底部回転ブロック２６が回転可能に設けられ、前記伝動空間７１の中には第二スプラインスリーブ２４が回転可能に設けられ、前記第二スプラインスリーブ２４と前記主軸２０とは回転可能にスプラインにより連結され、前記第二スプラインスリーブ２４と前記底部回転ブロック２６とは第三ベルト５０によって連結され、右側にある前記クランク軸１５の底部には頂部回転ブロック２７が固定的に設けられ、前記動力はすば歯車２８は、前記頂部回転ブロック２７或いは前記底部回転ブロック２６の中に挿入されることができ、さらに前記頂部回転ブロック２７或いは前記底部回転ブロック２６を駆動して回転させることができ、前記粉砕ヘッド２３を回転させ、或いは、前記粉砕ヘッド２３を上下にスライドさせる。
【００１９】
使用時には、最初に鉱物顔料を粉砕空間２１に入れ、上部の電磁石３３を制御して動作させ、磁気ブロック３２を上に動かし、次に切換スライダ７０を上に動かし、動力はすば歯車２８と頂部回転ブロック２７とを噛み合わせ、動力モータ４１を制御して動作させ、動力軸３０を回転させ、さらに、縦軸３９は粉砕盤３８を回転させると同時に伝動歯車３４は粉砕筒２２を回転させ、動力はすば歯車２８は頂部回転ブロック２７を回転させ、クランク軸１５はスライダ１７を左右にスライドさせ、矩形ブロック６１は粉砕ヘッド２３を上下にスライドさせ、鉱石を粉砕し、次に、底部の電磁石３３を制御して動作させ、切換スライダ７０を下方に移動させ、動力はすば歯車２８が底部回転ブロック２６と噛み合い、動力はすば歯車２８が底部回転ブロック２６を回転させ、第二スプラインスリーブ２４が粉砕ヘッド２３を回転させ、粉砕ヘッド２３は粉砕筒２２と協力し、鉱物顔料を初粉砕し、粉砕された顔料は微細孔３７から落ち、二つの粉砕盤３８が協力して二次粉砕を行う。
【００２０】
上記方式により、本分野の当業者は本願発明の範囲内で作動状況に応じて各種な改変を加えられる。
【要約】      （修正有）【課題】中国画用の天然無機鉱物顔料を製造する装置を提供する。【解決手段】本体１０の内部には粉砕室２１が設けられ、前記粉砕室の中には粉砕筒２２が回転可能に設けられ、前記粉砕筒の内周は円台形であり、前記粉砕室の底部には二つの縦軸３９が左右対称的に且つ回転可能に設けられ、二つの前記縦軸の外周にはそれぞれ粉砕盤３８が固定的に設けられ、二つの前記粉砕盤は互いに噛み合っていることで、顔料をさらに粉砕でき、前記本体の上面にはトップカバー６０が設けられ、前記トップカバーの内部にはスライド空間１８が設けられ、矩形ブロック６１が上下にスライドすることにより、粉砕ヘッド２３を駆動して上下にスライドさせ、鉱物顔料を破壊し、その後粉砕ヘッドと粉砕筒とを回転させて鉱物顔料を初粉砕し、粉砕された顔料は二つの粉砕盤の間に入り、粉砕盤の回転によって二次粉砕を行い、顔料がより繊細になる装置。【選択図】図１【図１】
0006826703.tif 000002
【図２】
0006826703.tif 000003
【図３】
0006826703.tif 000004